(57)【要約】【課題】鏡を有する照明装置において、演色性を高める。【解決手段】照明装置１０は、鏡１１０、光源１２２、及び拡散部材１２８を備える。鏡１１０は、光反射面が第１の方向（図１に垂直な方向）を向いている。光源１２２は鏡１１０の隣に配置されている。拡散部材１２８は光源１２２の前方に配置され、光源１２２からの光を透過しつつ拡散する。光源１２２からの光において、波長スペクトルのピーク波長が４００ｎｍ以下である。拡散部材１２８を透過した光の色温度は、色温度が４５００Ｋ以上５５００Ｋ以下である。そして、拡散部材１２８を透過した光のうち、波長が４００ｎｍ以上７２０ｎｍ以下の範囲である第１範囲における光の強度が基準値以上になっている。【選択図】図１
2016139516.tif 000002
【特許請求の範囲】
【請求項１】
鏡と、
前記鏡の隣に配置された光源と、
前記光源の前方に配置され、前記光源からの光を透過しつつ拡散する拡散部材と、
を備え、
前記光源からの光において、波長スペクトルのピーク波長は、４００ｎｍ以下であり、
前記拡散部材を透過した光の色温度は４５００Ｋ以上５５００Ｋ以下であり、
前記拡散部材を透過した光のうち、波長が４００ｎｍ以上７２０ｎｍ以下の範囲である第１範囲における光の強度が基準値以上である照明装置。
【請求項２】
請求項１に記載の照明装置において、
前記第１範囲における光の強度の基準値は、前記拡散部材から放射された光における前記ピーク波長の強度の５０％以上である照明装置。
【請求項３】
請求項２に記載の照明装置において、
前記光源の前方に配置され、前記ピーク波長の光を吸収する光フィルタを備える照明装置。
【請求項４】
請求項３に記載の照明装置において、
前記光源はＬＥＤを有する照明装置。
【発明の詳細な説明】
【技術分野】
【０００１】
本発明は、照明装置に関する。
【背景技術】
【０００２】
近年は、鏡と一体になった照明装置が普及している。このような照明装置に求められる特性に、光の波長スペクトルが太陽光に近いこと（演色性が高いこと）、使用者が不快な眩しさ（グレア）を感じないこと、などがある。一方、近年は照明装置の光源として、ＬＥＤ（Light Emitting Diode）が用いられるようになっている。一方、ＬＥＤはピーク波長における光の強度が強く、眩しさを感じることや太陽光と波長スペクトルが異なっていたりする。
【０００３】
これに対して、特許文献１には、半値幅が３０ｎｍで波長４５５ｎｍにピークを有して青色光を放射するＬＥＤ素子と、半値幅が１３０ｎｍで波長５５０ｎｍにピークを有する蛍光体と、半値幅が９５ｎｍで波長６４０ｎｍにピークを有する蛍光体とを備える照明装置が記載されている。特許文献１によれば、ＬＥＤを光源として用いた場合においても、演色性を高めることができる、とされている。
【先行技術文献】
【特許文献】
【０００４】
【特許文献１】特開２０１３−５８４７３号公報
【発明の概要】
【発明が解決しようとする課題】
【０００５】
本発明者は、鏡を有する照明装置において、他の方法を用いて演色性を高めることを検討した。すなわち、本発明が解決しようとする課題としては、鏡を有する照明装置において、演色性を高めることが一例として挙げられる。
【課題を解決するための手段】
【０００６】
請求項１に記載の発明は、鏡と、
前記鏡の隣に配置された光源と、
前記光源の前方に配置され、前記光源からの光を透過しつつ拡散する拡散部材と、
を備え、
前記光源からの光において、波長スペクトルのピーク波長は、４００ｎｍ以下であり、
前記拡散部材を透過した光の色温度は４５００Ｋ以上５５００Ｋ以下であり、
前記拡散部材を透過した光のうち、波長が４００ｎｍ以上７２０ｎｍ以下の範囲である第１範囲における光の強度が基準値以上である照明装置が提供される。
【図面の簡単な説明】
【０００７】
【図１】実施形態に係る照明装置の構成を示す平面図である。
【図２】図１のＡ−Ａ断面図である。
【図３】光源の発光スペクトルの一例を示す図である。
【図４】光フィルタの特性の一例を示す図である。
【図５】変形例に係る照明装置の構成を示す図である。
【発明を実施するための形態】
【０００８】
以下、本発明の実施の形態について、図面を用いて説明する。尚、すべての図面において、同様な構成要素には同様の符号を付し、適宜説明を省略する。
【０００９】
図１は、実施形態に係る照明装置１０の構成を示す平面図である。図２は図１のＡ−Ａ断面図である。実施形態に係る照明装置１０は、鏡１１０、光源１２２、及び拡散部材１２８を備える。鏡１１０は、光反射面が第１の方向（図１に垂直な方向）を向いている。光源１２２は鏡１１０の隣に配置されている。拡散部材１２８は光源１２２の前方に配置され、光源１２２からの光を透過しつつ拡散する。光源１２２からの光において、波長スペクトルのピーク波長が４００ｎｍ以下である。拡散部材１２８を透過した光の色温度は、４５００Ｋ以上５５００Ｋ以下である。そして、拡散部材１２８を透過した光のうち、波長が４００ｎｍ以上７２０ｎｍ以下の範囲である第１範囲における光の強度が基準値以上になっている。以下、詳細に説明する。
【００１０】
照明装置１０は保持部材１００を備えている。鏡１１０は保持部材１００の第１面に取り付けられている。また、保持部材１００のうち鏡１１０の隣に位置する領域には、照明部１２０が設けられている。照明部１２０の光射出面は、保持部材１００の第１面から露出している。このため、照明部１２０は、鏡１１０が向いている方向に光を放射することができる。なお、本図に示す例では、保持部材１００の第１面のうち鏡１１０が取り付けられている部分と、保持部材１００の第１面のうち照明部１２０が設けられている部分は、同一の平面となっている。ただし、これら２つの部分は互いに異なる平面であってもよい。言い換えると、照明部１２０は、鏡１１０の垂線と交わる方向を向いていてもよい。この場合、照明部１２０の垂線と鏡１１０の垂線とがなす角度は、例えば０°超４５°以下である。
【００１１】
本図に示す例において、照明部１２０は、鏡１１０の両隣のそれぞれに設けられている。また、保持部材１００には、複数の照明部１２０が上下に並んで設けられている。
【００１２】
次に、図２を用いて照明部１２０の構成を説明する。本図に示すように、照明部１２０は、光源１２２、リフレクタ１２４、光フィルタ１２６、及び拡散部材１２８を有している。
【００１３】
光源１２２は、例えば発光ダイオード（ＬＥＤ）である。また、光源１２２の波長スペクトルにおいて、例えば図３に示すように、ピーク波長は４００ｎｍ以下である。このピーク波長以外の波長スペクトルは、例えばおおよそ次のようなものである。可視光領域の４２０〜４５０ｎｍの波長は抑えられており、赤近傍の６００〜６５０ｎｍの波長は強められている。更に光の強度は、いずれの部分においても、上記ピーク波長の強度の基準値の５０％以上である。これは、太陽光の波長スペクトルと類似した形状となる。特に可視光領域の４２０〜４５０ｎｍの波長は、人間の肌による表面反射が大きく、この付近の波長を抑えることで化粧を行うときのユーザが感じるグレアを抑えことができる。可視光領域の６００〜６５０ｎｍの波長は、太陽光の下で人間の肌を見るものと似た条件をつくることができる。以上の条件をみたすと、鏡を有する照明装置でメークを行うときの演色性を高め、グレアを抑えることができる。
【００１４】
光源１２２は、リフレクタ１２４の凹部内に配置されている。リフレクタ１２４の凹部の内面は、光反射膜（例えばＡｌ膜などの金属膜）で覆われている。また、リフレクタ１２４の凹部の上面には、光フィルタ１２６及び拡散部材１２８が設けられている。
【００１５】
拡散部材１２８は、光源１２２から放射された光を透過しつつ拡散する。拡散部材１２８が設けられることにより、照明部１２０から放射される光は、グレアを抑え柔らかく感じられる。
【００１６】
光フィルタ１２６は光源１２２と拡散部材１２８の間に位置している。光フィルタ１２６は、短波長カットフィルタ（例えば紫外線カットフィルム）であり、例えば図４に示すように、光源１２２のピーク波長の光成分をある程度カットする。その結果、拡散部材１２８から放射される光の色温度は、４５００Ｋ以上５５００Ｋ以下になる。また、拡散部材１２８から放射される光において、上記した第１範囲（４００ｎｍ以上７２０ｎｍ以下の範囲）における光の強度の基準値は、いずれの部分においても、上記ピーク波長の強度の５０％以上である。これにより、太陽光の波長スペクトルと類似した形状となる。ここで、拡散部材１２８から放射される光において、第１範囲（４００ｎｍ以上７２０ｎｍ以下の範囲）における光の強度は、少なくとも一部において、上記ピーク波長の強度の１００％以上であってもよい。
【００１７】
なお、図２において、一つのリフレクタ１２４の内部には一つの光源１２２が配置されている。ただし、一つのリフレクタ１２４の内部には複数の光源１２２が配置されていてもよい。
【００１８】
以上、本実施形態によれば、光源１２２からの光において、波長スペクトルのピーク波長は、４００ｎｍ以下である。そして、拡散部材を透過した光の色温度は４５００Ｋ以上５５００Ｋ以下であり、またこの光のうち、波長が４００ｎｍ以上７２０ｎｍ以下の範囲である第１範囲における光の強度が基準値以上である。このため、鏡を有する照明装置１０において、演色性を高めることができる。
【００１９】
（変形例１）
図５は、変形例１に係る照明装置１０の構成を示す図である。本変形例に係る照明装置１０は、以下の点を除いて、実施形態に係る照明装置１０と同様の構成である。
【００２０】
まず、照明部１２０は、保持部材１００ではなく保持部材１０２に取り付けられている。そして、保持部材１０２は、取付部材１０４を用いて、保持部材１００の縁に取り付けられている。取付部材１０４は、例えば蝶番であり、保持部材１０２を、保持部材１００に対して回転移動できるように取り付けている。
【００２１】
本変形例１によっても、鏡を有する照明装置１０において、演色性を高めることができる。
【００２２】
（変形例２）
図１で説明した鏡を有する照明装置１０において、ハーフミラー機能を有する拡散部材１２８を利用してもよい。光源１２２が非発光のときは、照明装置１０全面が鏡面となる。そして、使用者の動きに合わせて複数の照明部１２０をそれぞれ別々に駆動することで、使用者の動きに合わせた照明を行うことができる。例えば、背の高い使用者や背の低い使用者それぞれに合った照明を行うことができる。また、使用者が照明装置１０から離れて全身を映すとき、逆に近づいたときに合った照明条件を設定することができる。この変形例２においても、照明装置１０は、演色性を高めることができる。
【００２３】
以上、図面を参照して実施形態及び実施例について述べたが、これらは本発明の例示であり、上記以外の様々な構成を採用することもできる。
【符号の説明】
【００２４】
１０  照明装置
１００  保持部材
１０２  保持部材
１０４  取付部材
１１０  鏡
１２０  照明部
１２２  光源
１２６  光フィルタ
１２８  拡散部材
【図１】
2016139516.tif 000003
【図２】
2016139516.tif 000004
【図３】
2016139516.tif 000005
【図４】
2016139516.tif 000006
【図５】
2016139516.tif 000007